(57)【要約】【課題】  シリンダボアと、シリンダボア内で往復移動するピストンと、シリンダボア内の圧縮流体を外部へ導く吐出孔が形成された弁板と、長手方向の一端部が自由端を形成し且つ吐出孔に対峙して吐出孔を開閉する帯板状の吐出弁と、吐出弁を間に挟んで弁板に対峙し吐出弁の開度を規制する開度規制面を有するリテーナとを備え、開度規制面は吐出弁の幅方向に傾斜している圧縮機であって、吐出ガスの動圧による吐出弁の幅方向の捩じりが助長された圧縮機を提供する。【解決手段】  シリンダボアと、シリンダボア内で往復移動するピストンと、シリンダボア内の圧縮流体を外部へ導く吐出孔が形成された弁板と、長手方向の一端部が自由端を形成し且つ吐出孔に対峙して吐出孔を開閉する帯板状の吐出弁と、吐出弁を間に挟んで弁板に対峙し吐出弁の開度を規制する開度規制面を有するリテーナとを備え、開度規制面は吐出弁の幅方向に傾斜しており、吐出孔の横断面の重心は、開度規制面の弁板からの距離が増加する方向へ、吐出弁の幅方向中心から吐出弁幅方向にオフセットしている。【選択図】  図３
2005083296.tif 000002
【特許請求の範囲】
【請求項１】
シリンダボアと、シリンダボア内で往復移動するピストンと、シリンダボア内の圧縮流体を外部へ導く吐出孔が形成された弁板と、長手方向の一端部が自由端を形成し且つ吐出孔に対峙して吐出孔を開閉する帯板状の吐出弁と、吐出弁を間に挟んで弁板に対峙し吐出弁の開度を規制する開度規制面を有するリテーナとを備え、開度規制面は吐出弁の幅方向に傾斜しており、吐出孔の横断面の重心は、開度規制面の弁板からの距離が増加する方向へ、吐出弁の幅方向中心から吐出弁幅方向にオフセットしていることを特徴とする圧縮機。
【請求項２】
シリンダボアと、シリンダボア内で往復移動するピストンと、シリンダボア内の圧縮流体を外部へ導く吐出孔が形成された弁板と、長手方向の一端部が自由端を形成し且つ吐出孔に対峙して吐出孔を開閉する帯板状の吐出弁と、吐出弁を間に挟んで弁板に対峙し吐出弁の開度を規制する開度規制面を有するリテーナとを備え、開度規制面は吐出弁の幅方向に傾斜しており、吐出弁の長手方向中央部が、開度規制面の弁板からの距離が減少する方向へ、幅方向にくびれていることを特徴とする圧縮機。
【請求項３】
シリンダボアと、シリンダボア内で往復移動するピストンと、シリンダボア内の圧縮流体を外部へ導く吐出孔が形成された弁板と、長手方向の一端部が自由端を形成し且つ吐出孔に対峙して吐出孔を開閉する帯板状の吐出弁と、吐出弁を間に挟んで弁板に対峙し吐出弁の開度を規制する開度規制面を有するリテーナとを備え、開度規制面は吐出弁の幅方向に傾斜しており、吐出弁の長手方向中央部が長手方向の前記一端部に比べて狭幅に形成されていることを特徴とする圧縮機。
【請求項４】
シリンダボアと、シリンダボア内で往復移動するピストンと、シリンダボア内の圧縮流体を外部へ導く吐出孔が形成された弁板と、長手方向の一端部が自由端を形成し且つ吐出孔に対峙して吐出孔を開閉する帯板状の吐出弁と、吐出弁を間に挟んで弁板に対峙し吐出弁の開度を規制する開度規制面を有するリテーナとを備え、開度規制面は吐出弁の幅方向に傾斜しており、吐出弁の長手方向中央部が他部に比べて薄肉に形成されていることを特徴とする圧縮機。
【請求項５】
シリンダボアと、シリンダボア内で往復移動するピストンと、シリンダボア内の圧縮流体を外部へ導く吐出孔が形成された弁板と、長手方向の一端部が自由端を形成し且つ吐出孔に対峙して吐出孔を開閉する帯板状の吐出弁と、吐出弁を間に挟んで弁板に対峙し吐出弁の開度を規制する開度規制面を有するリテーナとを備え、開度規制面は吐出弁の幅方向に傾斜しており、吐出弁の長手方向中央部に開口が形成されていることを特徴とする圧縮機。
【請求項６】
吐出孔の横断面の重心が、開度規制面の弁板からの距離が増加する方向へ、吐出弁の前記一端部の幅方向中心から吐出弁幅方向にオフセットしていることを特徴とする請求項２乃至５の何れか１項に記載の圧縮機。
【請求項７】
シリンダボアと、シリンダボア内で往復移動するピストンと、シリンダボア内の圧縮流体を外部へ導く吐出孔が形成された弁板と、長手方向の一端部が自由端を形成し且つ吐出孔に対峙して吐出孔を開閉する帯板状の吐出弁と、吐出弁を間に挟んで弁板に対峙し吐出弁の開度を規制する開度規制面を有するリテーナとを備え、開度規制面は吐出弁の幅方向に傾斜しており、吐出弁の板厚が、開度規制面の弁板からの距離が減少する方向へ、幅方向に増加することを特徴とする圧縮機。
【請求項８】
吐出孔の横断面の重心が、開度規制面の弁板からの距離が増加する方向へ、吐出弁の幅方向中心から吐出弁幅方向にオフセットしていることを特徴とする請求項７に記載の圧縮機。
【請求項９】
吐出孔の横断面は円形であることを特徴とする請求項１、６、８の何れか１項に記載の圧縮機。
【請求項１０】
吐出孔の横断面は洋梨形であることを特徴とする請求項１、６、８の何れか１項に記載の記載の圧縮機。
【発明の詳細な説明】
【技術分野】
【０００１】
本発明は、シリンダボアと、シリンダボア内で往復移動するピストンと、シリンダボア内の圧縮流体を外部へ導く吐出孔が形成された弁板と、長手方向の一端部が自由端を形成し且つ吐出孔に対峙して吐出孔を開閉する帯板状の吐出弁と、吐出弁を間に挟んで弁板に対峙し吐出弁の開度を規制する開度規制面を有するリテーナとを備え、開度規制面は吐出弁の幅方向に傾斜している圧縮機に関するものである。
【背景技術】
【０００２】
シリンダボアと、シリンダボア内で往復移動するピストンと、シリンダボア内の圧縮流体を外部へ導く吐出孔が形成された弁板と、長手方向の一端部が自由端を形成し且つ吐出孔に対峙して吐出孔を開閉する帯板状の吐出弁と、吐出弁を間に挟んで弁板に対峙し吐出弁の開度を規制する開度規制面を有するリテーナとを備え、開度規制面は吐出弁の幅方向に傾斜している圧縮機が特許文献１に開示されている。
特許文献１に開示された圧縮機においては、シリンダボア内のガス圧を受けた吐出弁が面外変形し、幅方向の一端が開度規制面に当接する。吐出ガスの動圧を受けた吐出弁は捩じられ、幅方向に傾斜して開度規制面に寄り添う。吐出弁が開度規制面に寄り添って幅方向に傾斜し、吐出弁のリフト量が幅方向の一端から他端へ向けて増加することにより、吐出ガスが吐出弁幅方向の前記他端側へ導かれ、吐出ガスの流れが安定する。この結果吐出弁の挙動が安定し、不快音の発生が防止される。
【特許文献１】実開平６−２５５７６
【発明の開示】
【発明が解決しようとする課題】
【０００３】
特許文献１の圧縮機には、吐出弁の捩じり剛性が大きいために、吐出ガスの動圧による吐出弁の捩じり量が不十分になり、吐出弁の幅方向の傾斜が不十分になって開度規制面に寄り添わないという問題がある。吐出弁が開度規制面に寄り添わないと、吐出弁の挙動が不安定になって不快音が発生する、吐出弁のリフト量が不十分となってシリンダボア内のガス圧が増加し圧縮機の効率が低下する、等の不具合を生ずる。
【０００４】
本発明は上記問題に鑑みてなされたものであり、シリンダボアと、シリンダボア内で往復移動するピストンと、シリンダボア内の圧縮流体を外部へ導く吐出孔が形成された弁板と、長手方向の一端部が自由端を形成し且つ吐出孔に対峙して吐出孔を開閉する帯板状の吐出弁と、吐出弁を間に挟んで弁板に対峙し吐出弁の開度を規制する開度規制面を有するリテーナとを備え、開度規制面は吐出弁の幅方向に傾斜している圧縮機であって、吐出ガスの動圧による吐出弁の幅方向の捩じりが助長された圧縮機を提供することを目的とする。
【課題を解決するための手段】
【０００５】
上記課題を解決するために、本発明においては、シリンダボアと、シリンダボア内で往復移動するピストンと、シリンダボア内の圧縮流体を外部へ導く吐出孔が形成された弁板と、長手方向の一端部が自由端を形成し且つ吐出孔に対峙して吐出孔を開閉する帯板状の吐出弁と、吐出弁を間に挟んで弁板に対峙し吐出弁の開度を規制する開度規制面を有するリテーナとを備え、開度規制面は吐出弁の幅方向に傾斜しており、吐出孔の横断面の重心は、開度規制面の弁板からの距離が増加する方向へ、吐出弁の幅方向中心から吐出弁幅方向にオフセットしていることを特徴とする圧縮機を提供する。
本発明に係る圧縮機においては、吐出孔の横断面の重心が、開度規制面の弁板からの距離が増加する方向へ、吐出弁の幅方向中心すなわち吐出弁が幅方向に捩じられる際の捩じり中心、から吐出弁幅方向にオフセットしているので、吐出ガスの動圧が吐出弁に印加する幅方向の捩じりモーメントが大きい。この結果、吐出ガスの動圧による吐出弁の幅方向の捩じりが助長されて、吐出弁は開度規制面に寄り添う。吐出弁が開度規制面に寄り添って幅方向に傾斜し、吐出弁のリフト量が幅方向の一端から他端へ向けて増加することにより、吐出ガスが吐出弁幅方向の前記他端側へ導かれ、吐出ガスの流れが安定し、吐出弁の挙動が安定し、不快音の発生が防止されると共に、吐出弁のリフト量が十分得られ、シリンダボア内のガス圧増加による圧縮機の効率低下が抑制される。
【０００６】
本発明においては、シリンダボアと、シリンダボア内で往復移動するピストンと、シリンダボア内の圧縮流体を外部へ導く吐出孔が形成された弁板と、長手方向の一端部が自由端を形成し且つ吐出孔に対峙して吐出孔を開閉する帯板状の吐出弁と、吐出弁を間に挟んで弁板に対峙し吐出弁の開度を規制する開度規制面を有するリテーナとを備え、開度規制面は吐出弁の幅方向に傾斜しており、吐出弁の長手方向中央部が、開度規制面の弁板からの距離が減少する方向へ、幅方向にくびれていることを特徴とする圧縮機を提供する。
本発明に係る圧縮機においては、吐出弁の長手方向中央部は、開度規制面の弁板からの距離が減少する方向へ、幅方向にくびれているので、吐出孔の横断面の重心は、開度規制面の弁板からの距離が増加する方向へ、吐出弁の長手方向中央部の幅方向中心すなわち吐出弁の長手方向中央部が幅方向に捩じられる際の捩じり中心、から吐出弁幅方向にオフセットしている。従って、吐出ガスの動圧が吐出弁の長手方向中央部に印加する幅方向の捩じりモーメントは大きい。この結果、吐出ガスの動圧による吐出弁の長手方向中央部の幅方向の捩じりが助長されて、吐出弁の自由端を形成する長手方向一端部は開度規制面に寄り添う。吐出弁の長手方向一端部が開度規制面に寄り添って幅方向に傾斜し、吐出弁の長手方向一端部のリフト量が幅方向の一端から他端へ向けて増加することにより、吐出ガスが吐出弁幅方向の前記他端側へ導かれ、吐出ガスの流れが安定し、吐出弁の挙動が安定し、不快音の発生が防止されると共に、吐出弁のリフト量が十分得られ、シリンダボア内のガス圧増加による圧縮機の効率低下が抑制される。
【０００７】
本発明においては、シリンダボアと、シリンダボア内で往復移動するピストンと、シリンダボア内の圧縮流体を外部へ導く吐出孔が形成された弁板と、長手方向の一端部が自由端を形成し且つ吐出孔に対峙して吐出孔を開閉する帯板状の吐出弁と、吐出弁を間に挟んで弁板に対峙し吐出弁の開度を規制する開度規制面を有するリテーナとを備え、開度規制面は吐出弁の幅方向に傾斜しており、吐出弁の長手方向中央部が長手方向の前記一端部に比べて狭幅に形成されていることを特徴とする圧縮機を提供する。
本発明においては、シリンダボアと、シリンダボア内で往復移動するピストンと、シリンダボア内の圧縮流体を外部へ導く吐出孔が形成された弁板と、長手方向の一端部が自由端を形成し且つ吐出孔に対峙して吐出孔を開閉する帯板状の吐出弁と、吐出弁を間に挟んで弁板に対峙し吐出弁の開度を規制する開度規制面を有するリテーナとを備え、開度規制面は吐出弁の幅方向に傾斜しており、吐出弁の長手方向中央部が他部に比べて薄肉に形成されていることを特徴とする圧縮機を提供する。
本発明においては、シリンダボアと、シリンダボア内で往復移動するピストンと、シリンダボア内の圧縮流体を外部へ導く吐出孔が形成された弁板と、長手方向の一端部が自由端を形成し且つ吐出孔に対峙して吐出孔を開閉する帯板状の吐出弁と、吐出弁を間に挟んで弁板に対峙し吐出弁の開度を規制する開度規制面を有するリテーナとを備え、開度規制面は吐出弁の幅方向に傾斜しており、吐出弁の長手方向中央部に開口が形成されていることを特徴とする圧縮機を提供する。
吐出弁の長手方向中央部を長手方向の前記一端部に比べて狭幅に形成し、或いは他部に比べて薄肉に形成し、或いは吐出弁の長手方向中央部に開口を形成すれば、吐出弁の長手方向中央部の捩り剛性が低下する。この結果、吐出ガスの動圧による吐出弁の長手方向中央部の幅方向の捩じりが助長されて、吐出弁の自由端を形成する長手方向一端部は開度規制面に寄り添う。吐出弁の長手方向一端部が開度規制面に寄り添って幅方向に傾斜し、吐出弁の長手方向一端部のリフト量が幅方向の一端から他端へ向けて増加することにより、吐出ガスが吐出弁幅方向の前記他端側へ導かれ、吐出ガスの流れが安定し、吐出弁の挙動が安定し、不快音の発生が防止されると共に、吐出弁のリフト量が十分得られ、シリンダボア内のガス圧増加による圧縮機の効率低下が抑制される。
【０００８】
本発明の好ましい態様においては、吐出孔の横断面の重心が、開度規制面の弁板からの距離が増加する方向へ、吐出弁の長手方向一端部の幅方向中心から吐出弁幅方向にオフセットしている。
吐出孔の横断面の重心が、開度規制面の弁板からの距離が増加する方向へ、吐出弁の自由端を形成する長手方向一端部の幅方向中心から吐出弁幅方向にオフセットすれば、吐出孔横断面の重心が、吐出弁の長手方向中央部の幅方向中心すなわち吐出弁の長手方向中央部が幅方向に捩じられる際の捩じり中心、から吐出弁幅方向にオフセットする量が増加する。この結果、吐出ガスの動圧による吐出弁の長手方向中央部の幅方向の捩じりが更に助長される。
【０００９】
本発明においては、シリンダボアと、シリンダボア内で往復移動するピストンと、シリンダボア内の圧縮流体を外部へ導く吐出孔が形成された弁板と、長手方向の一端部が自由端を形成し且つ吐出孔に対峙して吐出孔を開閉する帯板状の吐出弁と、吐出弁を間に挟んで弁板に対峙し吐出弁の開度を規制する開度規制面を有するリテーナとを備え、開度規制面は吐出弁の幅方向に傾斜しており、吐出弁の板厚が、開度規制面の弁板からの距離が減少する方向へ、幅方向に増加することを特徴とする圧縮機を提供する。
本発明に係る圧縮機においては、吐出弁の板厚が、開度規制面の弁板からの距離が減少する方向へ、幅方向に増加することにより、吐出弁が幅方向に捩じられる際の吐出弁の捩じり中心が、吐出弁の幅方向中心から、開度規制面の弁板からの距離が減少する方向へ幅方向にオフセットし、吐出孔の横断面の重心が、吐出弁が幅方向に捩じられる際の吐出弁の捩じり中心から、開度規制面の弁板からの距離が増加する方向へ、吐出弁幅方向にオフセットしているので、吐出ガスの動圧が吐出弁に印加する幅方向の捩じりモーメントが大きい。この結果、吐出ガスの動圧による吐出弁の幅方向の捩じりが助長されて、吐出弁は開度規制面に寄り添う。吐出弁が開度規制面に寄り添って幅方向に傾斜し、吐出弁のリフト量が幅方向の一端から他端へ向けて増加することにより、吐出ガスが吐出弁幅方向の前記他端側へ導かれ、吐出ガスの流れが安定し、吐出弁の挙動が安定し、不快音の発生が防止されると共に、吐出弁のリフト量が十分得られ、シリンダボア内のガス圧増加による圧縮機の効率低下が抑制される。
【００１０】
本発明の好ましい態様においては、吐出孔の横断面の重心が、開度規制面の弁板からの距離が増加する方向へ、吐出弁の幅方向中心から吐出弁幅方向にオフセットしている。
吐出孔の横断面の重心が、開度規制面の弁板からの距離が増加する方向へ、吐出弁の幅方向中心から吐出弁幅方向にオフセットすれば、吐出孔横断面の重心が、吐出弁が幅方向に捩じられる際の吐出弁の捩じり中心から吐出弁幅方向にオフセットする量が増加する。この結果、吐出ガスの動圧による吐出弁の幅方向の捩じりが更に助長される。
【００１１】
本発明の好ましい態様においては、吐出孔の横断面は円形である。
本発明の好ましい態様においては、吐出孔の横断面は洋梨形である。
円形横断面の吐出孔の中心を、弁板の長手方向一端部の幅方向中心或いは弁板の幅方向中心からオフセットさせても良く、或いは吐出孔の横断面を洋梨形にすることにより、当該横断面の重心を弁板の長手方向一端部の幅方向中心或いは弁板の幅方向中心からオフセットさせても良い。
【発明の効果】
【００１２】
本発明に係る圧縮機においては、吐出孔の横断面の重心が、開度規制面の弁板からの距離が増加する方向へ、弁板の幅方向中心すなわち弁板が幅方向に捩じられる際の捩じり中心、からオフセットしているので、吐出ガスの動圧が吐出弁に印加する幅方向の捩じりモーメントが大きい。この結果、吐出ガスの動圧による吐出弁の幅方向の捩じりが助長されて、吐出弁は開度規制面に寄り添う。吐出弁が開度規制面に寄り添って幅方向に傾斜し、吐出弁のリフト量が幅方向の一端から他端へ向けて増加することにより、吐出ガスが吐出弁幅方向の前記他端側へ導かれ、吐出ガスの流れが安定し、吐出弁の挙動が安定し、不快音の発生が防止されると共に、吐出弁のリフト量が十分得られ、シリンダボア内のガス圧増加による圧縮機の効率低下が抑制される。
【発明を実施するための最良の形態】
【００１３】
本発明の実施例に係る斜板式圧縮機を説明する。
【実施例１】
【００１４】
図１に示すように、柱状のシリンダブロック１の両端を覆って、フロントハウジング２とシリンダヘッド３とが配設されている。フロントハウジング２の内部にクランク室４が形成され、シリンダブロック１の内部に周方向に互いに間隔を隔てて複数のシリンダボア５が形成されている。クランク室４内に、斜板６が配設されている。斜板６の中心に駆動軸７が挿通されている。駆動軸７は、図示しないベアリングを介して、フロントハウジング２とシリンダブロック１とに回転可能に支持されている。
駆動軸７に、ローター８が固定されている。ローター８は、スラストベアリング９を介してフロントハウジング２に支持されている。
斜板６は、リンク機構１０を介して、駆動軸７に対する傾角変動可能に、且つローター８に対する駆動軸７回りの相対回転不能に、ローター８に連結されている。
【００１５】
斜板６に、シュー１１を介してピストン１２が係合している。ピストン１２は、駆動軸７に平行に延在し、シリンダボア５に往復摺動可能に挿入されている。
【００１６】
シリンダヘッド３の内部に、吸入室１３と吐出室１４とが画成されている。シリンダヘッド３に形成された吸入ポート３ａが吸入室１３に連通している。シリンダヘッド３に形成された図示しない吐出ポートが吐出室１４に連通している。
シリンダブロック１とシリンダヘッド３とに挟持されてガスケット１５と弁板１６とが配設されている。弁板１６には、シリンダボア５と吸入室１３とに連通する複数の吸入孔１６ａと、シリンダボア５と吐出室１４とに連通する複数の吐出孔１６ｂとが形成されている。弁板１５は、吸入室１３から離隔する側で吸入孔１６ａを開閉する複数の吸入弁１７と、吐出室１４側で吐出孔１６ｂを開閉する複数の吐出弁１８とを装備している。吸入弁１７、吐出弁１８は、長手方向の一端部が自由端を形成し且つ吸入孔１６ｂ、吐出孔１６ｂに対峙し、内外の圧力差により面外方向へ弾性変形して吸入孔１６ａ、吐出孔１６ｂを開閉する帯板状のリード弁として構成されている。図２に示すように、放射状に配設された複数の吐出弁１８の長手方向他端部、すなわち径方向内端部は一体化されている。放射状に配設された複数の吸入弁１７の長手方向他端部、すなわち径方向内端部も一体化されている。
【００１７】
吐出弁１８を間に挟んで弁板１６に対峙し吐出弁１８の開度を規制する開度規制面１９ａを有する複数の帯板状のリテーナ１９が吐出室１４内に配設されている。図２に示すように、放射状に配設された複数のリテーナ１９の基部、すなわち径方向内端部は一体化されている。
放射状に配設された吸入弁１７、吐出弁１８、リテーナ１９の径方向内端部は、シリンダブロック１にボルト固定されている。
図３に示すように、開度規制面１９ａは吐出弁１８の幅方向に傾斜している。図２、３に示すように、吐出孔１６ｂの横断面は円形を成し、当該円形の中心、すなわち吐出孔横断面の重心は、開度規制面１９ａの弁板１６からの距離が増加する方向へ、吐出弁１８の幅方向中心すなわち吐出弁１８が捩じられる際の捩じり中心から、吐出弁１８の幅方向にオフセットしている。
【００１８】
本実施例に係る斜板式圧縮機の作動を以下に説明する。
図示しない外部駆動源によって駆動軸７が回転駆動され、駆動軸７の回転に伴って斜板６が回転する。斜板６の回転に伴って、ピストン１２がシリンダボア５内を往復移動する。ピストン１２の往復移動に伴い、外部冷凍回路から吸入ポート３ａを通って吸入室１３へ流入した冷媒ガスが、吸入孔１６ａを通ってボア５内に吸入され、ボア５内で圧縮される。ボア５内の冷媒ガス圧が上昇し、ボア内５の冷媒ガス圧を受けた吐出弁１８が面外変形し、吐出弁１８の幅方向の一端が開度規制面１９ａに当接する。吐出冷媒ガスの動圧を受けた吐出弁１８は、幅方向の中心すなわち捩じり中心回りに捩じられ、幅方向に傾斜して開度規制面１９ａに寄り添う。吐出孔１６ｂが開き、ボア５内の加圧冷媒ガスは、吐出孔１６ｂと、吐出弁１８と弁板１６とにより形成される吐出流路とを通って、吐出室１４内へ吐出し、吐出室１４から図示しない吐出ポートを通って外部冷凍回路へ流出する。
【００１９】
本実施例に係る斜板式圧縮機においては、吐出孔１６ｂの横断面の重心が、開度規制面１９ａの弁板１６からの距離が増加する方向へ、吐出弁１８の幅方向中心すなわち吐出弁１８が捩じられる際の捩じり中心から、吐出弁１８の幅方向にオフセットしているので、吐出冷媒ガスの動圧が吐出弁１８に印加する捩じりモーメントは大きい。この結果、吐出冷媒ガスの動圧による吐出弁１８の捩じりが助長されて、吐出弁１８は開度規制面１９ａに確実に寄り添う。吐出弁が開度規制面に確実に寄り添って幅方向に傾斜し、吐出弁のリフト量が幅方向の一端から他端へ向けて増加することにより、図３に矢印で示すように、吐出冷媒ガスが吐出弁１８の幅方向の前記他端側へ確実に導かれ、吐出冷媒ガスの流れが安定し、吐出弁１８の挙動が安定し、不快音の発生が防止されると共に、吐出弁１８のリフト量が十分得られ、シリンダボア５内の冷媒ガス圧の増加による圧縮機の効率低下が抑制される。
【実施例２】
【００２０】
横断面が円形の吐出孔１６ｂに代えて、図４、５に示すように、横断面が洋梨形の吐出孔１６ｂ′を採用して、吐出孔１６ｂ′横断面の重心を、開度規制面１９ａの弁板１６からの距離が増加する方向へ、吐出弁１８の幅方向中心すなわち吐出弁１８が捩じられる際の捩じり中心から、吐出弁１８の幅方向にオフセットさせても良い。
【実施例３】
【００２１】
実施例１において、吐出孔１６ｂ横断面の重心を、開度規制面１９ａの弁板１６からの距離が増加する方向へ、吐出弁１８の幅方向中心から、吐出弁１８の幅方向にオフセットさせるのに代えて、図６に示すように、吐出弁１８の長手方向中央部１８ａを、開度規制面１９ａの弁板１６からの距離が減少する方向へ、幅方向にくびれさせても良い。吐出孔１６ｂの横断面の重心は、吐出弁１８の自由端を形成する長手方向一端部の幅方向中心に一致させる。
出弁１８の長手方向中央部１８ａが、開度規制面１９ａの弁板１６からの距離が減少する方向へ、幅方向にくびれると、吐出孔１６ｂの横断面の重心は、開度規制面１９ａの弁板１６からの距離が増加する方向へ、吐出弁１８の長手方向中央部１８ａの幅方向中心すなわち吐出弁１８の長手方向中央部１８ａが幅方向に捩じられる際の捩じり中心、から吐出弁１８の幅方向にオフセットする。従って、吐出冷媒ガスの動圧が吐出弁１８の長手方向中央部１８ａに印加する捩じりモーメントは大きい。この結果、吐出冷媒ガスの動圧による吐出弁１８の長手方向中央部１８ａの捩じりが助長されて、吐出弁１８の自由端を形成する長手方向一端部は開度規制面１９ａに確実に寄り添う。また吐出弁１８の長手方向中央部１８ａが狭幅になることにより当該部の捩り剛性が低下し、吐出冷媒ガスの動圧による吐出弁１８の長手方向中央部１８ａの捩じりが助長されて、吐出弁１８の自由端を形成する長手方向一端部は開度規制面１９ａに確実に寄り添う。吐出弁の自由端を形成する長手方向一端部が開度規制面に確実に寄り添って幅方向に傾斜し、吐出弁の前記一端部のリフト量が幅方向の一端から他端へ向けて増加することにより、図３に矢印で示すように、吐出冷媒ガスが吐出弁１８の幅方向の前記他端側へ確実に導かれ、吐出冷媒ガスの流れが安定し、吐出弁１８の挙動が安定し、不快音の発生が防止されると共に、吐出弁１８のリフト量が十分得られ、シリンダボア５内の冷媒ガス圧の増加による圧縮機の効率低下が抑制される。
【実施例４】
【００２２】
実施例１において、吐出孔１６ｂ横断面の重心を、開度規制面１９ａの弁板１６からの距離が増加する方向へ、吐出弁１８の幅方向中心から、吐出弁１８の幅方向にオフセットさせるのに代えて、吐出弁１８の長手方向中央部１８ａを、自由端を形成する長手方向一端部に比べて狭幅に形成しても良い。吐出孔１６ｂの横断面の重心は、吐出弁１８の自由端を形成する長手方向一端部の幅方向中心に一致させる。
実施例１において、吐出孔１６ｂ横断面の重心を、開度規制面１９ａの弁板１６からの距離が増加する方向へ、吐出弁１８の幅方向中心から、吐出弁１８の幅方向にオフセットさせるのに代えて、吐出弁１８の長手方向中央部１８ａを、他部に比べて薄肉に形成しても良い。吐出孔１６ｂの横断面の重心は、吐出弁１８の自由端を形成する長手方向一端部の幅方向中心に一致させる。
実施例１において、吐出孔１６ｂ横断面の重心を、開度規制面１９ａの弁板１６からの距離が増加する方向へ、吐出弁１８の幅方向中心から、吐出弁１８の幅方向にオフセットさせるのに代えて、吐出弁１８の長手方向中央部１８ａに、開口を形成しても良い。吐出孔１６ｂの横断面の重心は、吐出弁１８の自由端を形成する長手方向一端部の幅方向中心に一致させる。
吐出弁１８の長手方向中央部１８ａを、自由端を形成する長手方向一端部に比べて狭幅に形成し、或いは吐出弁１８の長手方向中央部１８ａを、他部に比べて薄肉に形成し、或いは吐出弁１８の長手方向中央部１８ａに、開口を形成すると、吐出弁１８の長手方向中央部１８ａの捩り剛性が低下する。この結果、吐出冷媒ガスの動圧による吐出弁１８の長手方向中央部１８ａの捩じりが助長されて、吐出弁１８の自由端を形成する長手方向一端部は開度規制面１９ａに確実に寄り添う。また吐出弁１８の長手方向中央部１８ａが狭幅になることにより当該部の捩り剛性が低下し、吐出冷媒ガスの動圧による吐出弁１８の長手方向中央部１８ａの捩じりが助長されて、吐出弁１８の自由端を形成する長手方向一端部は開度規制面１９ａに確実に寄り添う。吐出弁の自由端を形成する長手方向一端部が開度規制面に確実に寄り添って幅方向に傾斜し、吐出弁の前記一端部のリフト量が幅方向の一端から他端へ向けて増加することにより、図３に矢印で示すように、吐出冷媒ガスが吐出弁１８の幅方向の前記他端側へ確実に導かれ、吐出冷媒ガスの流れが安定し、吐出弁１８の挙動が安定し、不快音の発生が防止されると共に、吐出弁１８のリフト量が十分得られ、シリンダボア５内の冷媒ガス圧の増加による圧縮機の効率低下が抑制される。
【００２３】
実施例３、４において、図７に示すように、吐出孔１６ｂの円形横断面の重心を、開度規制面１９ａの弁板１６からの距離が増加する方向へ、吐出弁１８の自由端を形成する長手方向一端部の幅方向中心から、吐出弁１８の幅方向にオフセットさせても良い。
実施例３、４において、図８に示すように、横断面が洋梨形の吐出孔１６ｂ′を採用して、吐出孔１６ｂ′横断面の重心を、開度規制面１９ａの弁板１６からの距離が増加する方向へ、吐出弁１８の自由端を形成する長手方向一端部の幅方向中心から、吐出弁１８の幅方向にオフセットさせても良い。
吐出孔１６ｂ、１６ｂ′の横断面の重心が、開度規制面１９ａの弁板１６からの距離が増加する方向へ、吐出弁１８の自由端を形成する長手方向一端部の幅方向中心から吐出弁１８の幅方向にオフセットすれば、吐出孔１６ｂ、１６ｂ′横断面の重心が、吐出弁１８の長手方向中央部１８ａの幅方向中心すなわち吐出弁１８の長手方向中央部１８ａが幅方向に捩じられる際の捩じり中心、から吐出弁１８の幅方向にオフセットする量が増加し、或いは吐出弁１８の幅方向にオフセットする。この結果、吐出ガスの動圧による吐出弁１８の長手方向中央部１８ａの幅方向の捩じりが更に助長される。
【実施例５】
【００２４】
実施例１において、吐出孔１６ｂ横断面の重心を、開度規制面１９ａの弁板１６からの距離が増加する方向へ、吐出弁１８の幅方向中心から、吐出弁１８の幅方向にオフセットさせるのに代えて、図９に示すように、吐出弁１８の板厚を、開度規制面１９ａの弁板１６からの距離が減少する方向へ、幅方向に増加させても良い。吐出孔１６ｂの横断面の重心は、吐出弁１８の幅方向中心に一致させる。
吐出弁１８の板厚が、開度規制面１９ａの弁板１６からの距離が減少する方向へ、幅方向に増加することにより、吐出弁１８が幅方向に捩じられる際の吐出弁１８の捩じり中心が、吐出弁１８の幅方向中心から、開度規制面１９ａの弁板１６からの距離が減少する方向へ幅方向にオフセットし、吐出孔１６ｂの横断面の重心が、吐出弁１８が幅方向に捩じられる際の吐出弁１８の捩じり中心から、開度規制面１９ａの弁板１６からの距離が増加する方向へ、吐出弁１８の幅方向にオフセットする。この結果、吐出ガスの動圧が吐出弁１８に印加する幅方向の捩じりモーメントが大きくなり、吐出冷媒ガスの動圧による吐出弁１８の捩じりが助長されて、吐出弁１８の自由端を形成する長手方向一端部は開度規制面１９ａに確実に寄り添う。吐出弁の自由端を形成する長手方向一端部が開度規制面に確実に寄り添って幅方向に傾斜し、吐出弁の前記一端部のリフト量が幅方向の一端から他端へ向けて増加することにより、図９に矢印で示すように、吐出冷媒ガスが吐出弁１８の幅方向の前記他端側へ確実に導かれ、吐出冷媒ガスの流れが安定し、吐出弁１８の挙動が安定し、不快音の発生が防止されると共に、吐出弁１８のリフト量が十分得られ、シリンダボア５内の冷媒ガス圧の増加による圧縮機の効率低下が抑制される。
【００２５】
実施例５において、実施例１と同様に、吐出孔１６ｂの円形横断面の重心を、開度規制面１９ａの弁板１６からの距離が増加する方向へ、吐出弁１８の幅方向中心から、吐出弁１８の幅方向にオフセットさせても良い。
実施例５において、実施例２と同様に、横断面が洋梨形の吐出孔１６ｂ′を採用して、吐出孔１６ｂ′横断面の重心を、開度規制面１９ａの弁板１６からの距離が増加する方向へ、吐出弁１８の幅方向中心から、吐出弁１８の幅方向にオフセットさせても良い。
吐出孔１６ｂ、１６ｂ′の横断面の重心が、開度規制面１９ａの弁板１６からの距離が増加する方向へ、吐出弁１８の幅方向中心から吐出弁１８の幅方向にオフセットすれば、吐出孔１６ｂ、１６ｂ′横断面の重心が、吐出弁１８が幅方向に捩じられる際の吐出弁１８の捩じり中心から吐出弁１８の幅方向にオフセットする量が増加する。この結果、吐出ガスの動圧による吐出弁１８の幅方向の捩じりが更に助長される。
【産業上の利用可能性】
【００２６】
本発明は斜板式圧縮機に限らず、シリンダボアと、シリンダボア内で往復移動するピストンと、シリンダボア内の圧縮流体を外部へ導く吐出孔が形成された弁板と、長手方向の一端部が自由端を形成し且つ吐出孔に対峙して吐出孔を開閉する帯板状の吐出弁と、吐出弁を間に挟んで弁板に対峙し吐出弁の開度を規制する開度規制面を有するリテーナとを備え、開度規制面は吐出弁の幅方向に傾斜している種々の往復動圧縮機に適用可能である。
【図面の簡単な説明】
【００２７】
【図１】本発明の実施例に係る斜板式圧縮機の断面図である。
【図２】図１のII−II矢視図である。
【図３】図２のIII−III矢視図である。
【図４】本発明の他の実施例に係る斜板式圧縮機の図２に相当する矢視図である。
【図５】図４のV-V矢視図である。
【図６】本発明の他の実施例に係る斜板式圧縮機の図２に相当する矢視図である。
【図７】本発明の他の実施例に係る斜板式圧縮機の図２に相当する矢視図である。
【図８】本発明の他の実施例に係る斜板式圧縮機の図２に相当する矢視図である。
【図９】本発明の他の実施例に係る斜板式圧縮機の図３に相当する矢視図である。
【符号の説明】
【００２８】
１  シリンダブロック
２  ハウジング
３  シリンダヘッド
４  クランク室
５  シリンダボア
６  斜板
１２  ピストン
１３  吸入室
１４  吐出室
１６  弁板
１６ａ  吸入孔
１６ｂ  吐出孔
１８  吐出弁
１８ａ  吐出弁の長手方向中央部
１９  リテーナ
１９ａ  開度規制面
【図１】
2005083296.tif 000003
【図２】
2005083296.tif 000004
【図３】
2005083296.tif 000005
【図４】
2005083296.tif 000006
【図５】
2005083296.tif 000007
【図６】
2005083296.tif 000008
【図７】
2005083296.tif 000009
【図８】
2005083296.tif 000010
【図９】
2005083296.tif 000011